(57)【要約】【課題】吸収体が変形し易く、股下領域での装着性が更に向上する吸収性物品を提供すること。【解決手段】吸収性物品の実施形態である使い捨ておむつ１は、吸収体４を有する吸収性本体１０と外装体５とを具備する。吸収体４は、吸収性コア４１と被覆材４２とを有する。外装体５は、腹側外装体５Ａ、背側外装体５Ｂ、及び股下外装体５Ｃに別部材で構成されている。吸収性コア４１は、１対の側部貫通スリット４３，４３を有する。各側部貫通スリット４３においては、被覆材４２の肌側被覆材４２Ｕと非肌側被覆材４２Ｄとが接合されており、各側部貫通スリット４３と厚み方向（Ｚ方向）に重なる領域においては、肌側被覆材４２Ｕと表面シート２とが接合され、且つ非肌側被覆材４２Ｄと裏面シート３とが接合され、且つ裏面シート３と外装体５とが接合されている。【選択図】図３
2015112319.tif 000002
【特許請求の範囲】
【請求項１】
表面シート、裏面シート、これら両シート間に配された吸収体を備えた縦長の吸収性本体と、該吸収性本体の非肌対向面側に配された外装体とを具備する吸収性物品であって、
前記外装体は、着用者の腹側に配される腹側外装体と、背側に配される背側外装体と、それらの間に位置する股下領域に配される股下外装体とに別部材として区分されており、
前記吸収体は、吸収ポリマーを含む吸収性コアと該吸収性コアを包む被覆材とを有し、
前記吸収性コアは、前記吸収性本体の長手方向に沿う両側部に、厚み方向に貫通する１対の側部貫通スリットが長手方向に延在しており、
各前記側部貫通スリットにおいては、前記被覆材における肌対向面側の肌側被覆材と非肌対向面側の非肌側被覆材とが接合されており、各該側部貫通スリットと厚み方向に重なる領域においては、前記肌側被覆材と前記表面シートとが接合され、且つ前記非肌側被覆材と前記裏面シートとが接合され、且つ該裏面シートと前記外装体とが接合されている吸収性物品。
【請求項２】
前記吸収性コアは、前記１対の側部貫通スリットの間の中央部に、厚み方向に貫通する中央部貫通スリットが長手方向に延在している請求項１に記載の吸収性物品。
【請求項３】
各前記側部貫通スリットは、その長手方向の中心が、着用者の背側に配される背側領域側よりも、着用者の腹側に配される腹側領域側にずれて配されている請求項１又は２に記載の吸収性物品。
【請求項４】
前記外装体は、着用者の腹側に配される腹側外装体と、背側に配される背側外装体と、それらの間に位置する股下領域に配される股下外装体とに別部材として区分されており、
前記腹側外装体は、前記吸収性物品の外面を形成する外層シートと、該外層シートの内面側に配され、該吸収性物品の内面を形成する内層シートと、それらシート間に幅方向に伸長状態で配されて固定された複数本の糸状の弾性部材とを含んで構成されており、
各前記側部貫通スリットは、その前記腹側外装体側の端部が、前記複数本の弾性部材の内の最も前記股下領域側の弾性部材の位置に達していない請求項１〜３の何れか１項に記載の吸収性物品。
【請求項５】
前記吸収性本体の長手方向に沿う両側部には、長手方向に伸長状態で配された弾性部材を有する側方カフスが設けられている請求項１〜４の何れか１項に記載の吸収性物品。
【請求項６】
各前記側部貫通スリットにおいては、幅方向に沿って断面視して、前記肌側被覆材と前記非肌側被覆材とが接合された位置、前記肌側被覆材と前記表面シートとが接合された位置、前記非肌側被覆材と前記裏面シートとが接合された位置、及び該裏面シートと前記外装体とが接合された位置が、重なっている請求項１〜５の何れか１項に記載の吸収性物品。
【請求項７】
前記中央部貫通スリットにおいては、前記肌側被覆材と前記非肌側被覆材とが接合されており、該中央部貫通スリットと厚み方向に重なる領域においては、前記肌側被覆材と前記表面シートとが接合され、前記非肌側被覆材と前記裏面シートとが接合され、該裏面シートと前記外装体とが接合されている請求項２〜６の何れか１項に記載の吸収性物品。
【発明の詳細な説明】
【技術分野】
【０００１】
本発明は、使い捨ておむつ等の吸収性物品に関する。
【背景技術】
【０００２】
使い捨ておむつにおいては、股下領域に配された吸収体の予期せぬ変形が起こり易く、良好な装着性が得られ難い。本出願人は、先に、股下領域での装着性を向上させる観点から、吸収性コアに、厚み方向に貫通するスリットを複数本設けた使い捨ておむつを提案した（特許文献１，２）。
【０００３】
特許文献１，２に記載の使い捨ておむつによれば、スリットを通して、吸収性コアの肌対向面側の表面シートと吸収性コアの非肌対向面側の裏面シートとが、吸収性コアを包むコアラップシートを介して接合されている。その為、着用状態において、外観がすっきりしており、股下領域での装着性が向上する。
【先行技術文献】
【特許文献】
【０００４】
【特許文献１】特開２００６−３４１０６１号公報
【特許文献２】特開２０１２−３４７１５号公報
【発明の概要】
【発明が解決しようとする課題】
【０００５】
しかし、更に股下領域での装着性を向上させたいとのニーズがあった。また、特許文献１，２には、スリットに重なる領域における、吸収性本体の非肌対向面側に配される外装体と、他の使い捨ておむつの構成材料との接合関係について、何ら記載されていない。
【０００６】
したがって本発明の課題は、前述した従来技術が有する欠点を解消し得る吸収性物品を提供することにある。
【課題を解決するための手段】
【０００７】
本発明は、表面シート、裏面シート、これら両シート間に配された吸収体を備えた縦長の吸収性本体と、該吸収性本体の非肌対向面側に配された外装体とを具備する吸収性物品であって、前記外装体は、着用者の腹側に配される腹側外装体と、背側に配される背側外装体と、それらの間に位置する股下領域に配される股下外装体とに別部材として区分されており、前記吸収体は、吸収ポリマーを含む吸収性コアと該吸収性コアを包む被覆材とを有し、前記吸収性コアは、前記吸収性本体の長手方向に沿う両側部に、厚み方向に貫通する１対の側部貫通スリットが長手方向に延在しており、各前記側部貫通スリットにおいては、前記被覆材における肌対向面側の肌側被覆材と非肌対向面側の非肌側被覆材とが接合されており、各該側部貫通スリットと重なる領域においては、前記肌側被覆材と前記表面シートとが接合され、前記非肌側被覆材と前記裏面シートとが接合され、該裏面シートと前記外装体とが接合されている吸収性物品を提供するものである。
【発明の効果】
【０００８】
本発明によれば、吸収体が着用者の動きに合わせて変形し易く、股下領域での装着性が更に向上する。
【図面の簡単な説明】
【０００９】
【図１】図１は、本発明の吸収性物品の実施形態であるパンツ型使い捨ておむつを模式的に示す斜視図である。
【図２】図２は、図１に示すおむつを展開させかつ伸長させた状態を模式的に示す平面図である。
【図３】図３は、図２のＩＩＩ−ＩＩＩ線断面図である。
【図４】図４は、図１のパンツ型使い捨ておむつを着用した状態の股下領域の断面図である。
【発明を実施するための形態】
【００１０】
以下、本発明をその好ましい実施形態に基づき図面を参照しながら説明する。本発明の吸収性物品の本実施形態である使い捨ておむつ１は、図１，図２に示すとおり、液透過性の表面シート２、液難透過性の裏面シート３、これら両シート２，３間に配された吸収体４を備えた縦長の吸収性本体１０と、吸収性本体１０の非肌対向面側に配された外装体５とを具備するおむつである。具体的に、おむつ１は、外装体５が、着用者の腹側に配される腹側外装体５Ａと、背側に配される背側外装体５Ｂと、それら５Ａ，５Ｂの間に位置する股下領域に配される股下外装体５Ｃとに別部材として区分されており、腹側外装体５Ａの両側縁部５ａ１，５ａ１と背側外装体５Ｂの両側縁部５ｂ１，５ｂ１とが接合されて一対のサイドシール部Ｓ，Ｓ、ウエスト開口部ＷＯ及び一対のレッグ開口部ＬＯ，ＬＯが形成された所謂パンツ型使い捨ておむつである。
【００１１】
おむつ１は、図２に示すとおり、展開させかつ伸長させた状態を平面視して、着用者の前後方向に相当する長手方向（Ｘ方向）とこれに直交する幅方向（Ｙ方向）とを有している。また、おむつ１は、その長手方向（Ｘ方向）に、着用時に着用者の腹側に配される腹側領域Ａ、着用時に着用者の背側に配される背側領域Ｂ、腹側領域Ａと背側領域Ｂとの間に位置する股下領域Ｃとに区分されている。また、本明細書において、肌対向面は、おむつ１又はその構成部材（例えば吸収性本体１０）における、着用時に着用者の肌側に向けられる面であり、非肌対向面は、パンツ型使い捨ておむつ１又はその構成部材における、着用時に着用者の肌側とは反対側（着衣側）に向けられる面である。おむつ１において、長手方向（Ｘ方向）は、おむつ１又はその構成部材である吸収性本体１０の長辺に沿う方向に一致し、幅方向（Ｙ方向）は、使い捨ておむつ又はその構成部材である吸収性本体１０の幅方向に一致する。
また、おむつ１は、長手方向（Ｘ方向）に延びる縦中心線ＣＬに対して左右対称形となっている。従って、以下の説明では、左右対称な部分については、主に、一方のみについて説明する。
【００１２】
尚、上述したおむつ１を展開させかつ伸長させた状態とは、図２に示すように、サイドシール部Ｓを引き剥がして、おむつ１を展開状態とし、その展開状態のおむつ１を、各部の弾性部材を伸長させて、設計寸法（弾性部材の影響を一切排除した状態で平面状に広げたときの寸法と同じ）となるまで広げた状態を意味する。
【００１３】
吸収性本体１０は、図２に示すとおり、一方向（長手方向（Ｘ方向））が相対的に長い縦長の形状を有している。吸収性本体１０は、肌対向面を形成する液透過性の表面シート２と、非肌対向面を形成する液難透過性（撥水性も含む）の裏面シート３と、これら両シート２，３間に介在配置された液保持性の吸収体４とを具備する。また、吸収性本体１０の長手方向（Ｘ方向）に沿う両側部には、図２に示すように、長手方向（Ｘ方向）に伸長状態で配された弾性部材を有する側方カフス６，６が設けられている。具体的には、側方カフス６は、液不透過性又は撥水性で且つ通気性の素材から構成されており、各側方カフス６の自由端部近傍には、立体ギャザー形成用弾性部材６１が長手方向（Ｘ方向）に伸長した状態で配されている。おむつの着用時には、立体ギャザー形成用弾性部材６１の収縮により側方カフス６の自由端部側が起立し、所謂立体ギャザーとなり、幅方向（Ｙ方向）への体液の流出が阻止される。
【００１４】
おむつ１においては、表面シート２及び裏面シート３は、それぞれ、吸収体４の左右両側縁及び前後両端縁から外方に延出している。表面シート２は、図３に示すように、左右両側縁部が吸収体４の非肌対向面（下面）側に折り返されている。そして、図３に示すように、折り返された表面シート２の各側縁部を覆うように、各側方カフス６の他端部側が吸収体４の非肌対向面（下面）側に巻き込まれ、側方カフス６の他端部が、吸収体４と裏面シート３との間で挟持固定されている。尚、折り返された表面シート２の部分は、該部分を覆う各側方カフス６の他端部側に接着固定されている。
【００１５】
吸収体４は、図２，図３に示すように、吸収ポリマーを含む吸収性コア４１と吸収性コア４１を包む被覆材４２とを有している。具体的には、吸収体４は、長手方向（Ｘ方向）と同方向に長い形状を有しており、長手方向（Ｘ方向）に長い液保持性の吸収性コア４１を、液透過性の親水性シートである被覆材４２で被覆して形成されている。被覆材４２は、吸収性コア４１を包み込むことにより、吸収性コア４１の保形性を保ち、また、高吸収性ポリマー等の吸収性コア４１の構成成分の脱落を防止するものである。
【００１６】
吸収性コア４１には、図２，図３に示すように、吸収性本体１０の長手方向（Ｘ方向）に沿う両側部に、厚み方向（Ｚ方向）に貫通する１対の側部貫通スリット４３，４３が長手方向（Ｘ方向）に延在している。また、おむつ１の吸収性コア４１には、１対の側部貫通スリット４３，４３の間の中央部に、具体的には、１対の側部貫通スリット４３，４３の間の幅方向（Ｙ方向）中央部に、厚み方向（Ｚ方向）に貫通する中央部貫通スリット４４が長手方向（Ｘ方向）に延在している。側部貫通スリット４３は、長手方向（Ｘ方向）に平行に帯状に延びて形成されている。同様に、中央部貫通スリット４４は、長手方向（Ｘ方向）に平行に帯状に延びて形成されている。側部貫通スリット４３及び中央部貫通スリット４４においては、全く吸収性コア４１の構成材料が存在しない部分となっている。尚、おむつ１においては、側部貫通スリット４３の形状や長さが、中央部貫通スリット４４の形状や長さと同じであり同形同大に形成されているが、異なる形状であってもよく、長さが異なっていてもよい。
吸収性コア４１の全幅（Ｗ１）に対する側部貫通スリット４３の幅（Ｗ２）の割合（Ｗ２／Ｗ１）は（図２参照）、０．０３以上０．２５以下であることが好ましく、０．０４以上０．１７以下であることが更に好ましい。中央部貫通スリット４４の幅の割合も、側部貫通スリット４３の幅（Ｗ２）の割合と同じである。吸収性コア４１の全長（Ｌ１）に対する側部貫通スリット４３の長さ（Ｌ２）の割合（Ｌ２／Ｌ１）は（図２参照）、０．１０以上０．７５以下であることが好ましく、０．２０以上０．６０以下であることが更に好ましい。尚、本実施形態においては、中央部貫通スリット４４の長さの割合は、図２に示すように、側部貫通スリット４３の長さ（Ｌ２）の割合と同じであるが、中央部貫通スリット４４の長さの割合を、側部貫通スリット４３の長さ（Ｌ２）の割合よりも小さくしてもよい。具体的には、吸収性コア４１の全幅（Ｗ１）は、６０ｍｍ以上１６０ｍｍ以下であることが好ましく、８０ｍｍ以上１４０ｍｍ以下であることが更に好ましい。吸収性コア４１の全長（Ｌ１）は、２８０ｍｍ以上４９０ｍｍ以下であることが好ましく、３００ｍｍ以上４７０ｍｍ以下であることが更に好ましい。側部貫通スリット４３の幅（Ｗ２）或いは中央部貫通スリット４４の幅は、３．６ｍｍ以上３０．０ｍｍ以下であることが好ましく、４．８ｍｍ以上２０．４ｍｍ以下であることが更に好ましい。側部貫通スリット４３の長さ（Ｌ２）或いは中央部貫通スリット４４の長さは、３２ｍｍ以上３０８ｍｍ以下であることが好ましく、６４ｍｍ以上２４６ｍｍ以下であることが更に好ましい。
【００１７】
各側部貫通スリット４３は、おむつ１においては、その長手方向（Ｘ方向）中心４３ｃが、背側領域Ｂ側よりも腹側領域Ａ側にずれて配されている。また、中央部貫通スリット４４は、おむつ１においては、その長手方向（Ｘ方向）中心４４ｃが、背側領域Ｂ側よりも腹側領域Ａ側にずれて配されている。また、各側部貫通スリット４３は、腹側外装体５Ａ側の端部４３ａが、後述する腹側外装体５Ａを構成する複数本の弾性部材５３の内の最も股下領域Ｃ側の弾性部材５３の位置に達していない。また、各側部貫通スリット４３は、背側外装体５Ｂ側の端部４３ｂが、後述する背側外装体５Ｂを構成する複数本の弾性部材５３の内の最も股下領域Ｃ側の弾性部材５３の位置に達していない。このように、各側部貫通スリット４３は、股下領域Ｃ内に配されているが、腹側領域Ａ寄りの位置に配されている。同様に、中央部貫通スリット４４は、腹側外装体５Ａ側の端部４４ａが、腹側外装体５Ａを構成する複数本の弾性部材５３の内の最も股下領域Ｃ側の弾性部材５３の位置に達していない。また、中央部貫通スリット４４は、背側外装体５Ｂ側の端部４４ｂが、背側外装体５Ｂを構成する複数本の弾性部材５３の内の最も股下領域Ｃ側の弾性部材５３の位置に達していない。このように、中央部貫通スリット４４は、股下領域Ｃ内に配されているが、腹側領域Ａ寄りの位置に配されている。
【００１８】
吸収性コア４１を包む被覆材４２は、図３に示すように、おむつ１においては、１枚からなる。詳述すると、被覆材４２は、長手方向（Ｙ方向）においては、吸収性コア４１の長手方向（Ｙ方向）の長さ以上の長さであり、幅方向（Ｘ方向）においては、図３に示すように、吸収性コア４１の肌対向面（上面）を被覆し、更に吸収性コア４１の非肌対向面（下面）側に巻き込まれ、吸収性コア４１の非肌対向面（下面）の幅方向（Ｘ方向）中央部で重なり合うようにして（図示せず）、吸収性コア４１を包み込んでいる。尚、おむつ１の被覆材４２は、上述したように、１枚からなるが、吸収性コア４１の肌対向面（上面）を第１の被覆材で被覆し、吸収性コア４１の非肌対向面（下面）を２枚目の第２の被覆材で被覆して、吸収性コア４１を包み込んでいてもよい。
【００１９】
以上のように構成された吸収性本体１０は、その長手方向（Ｘ方向）を、展開かつ伸長状態におけるおむつ１の長手方向（Ｘ方向）に一致させて、外装体５の中央部に、後述する接着剤によって接合されている。このように、外装体５は、使い捨ておむつ１の厚み方向（Ｚ方向）における、吸収性本体１０を構成する裏面シート３の非肌対向面側に配されて接着固定されている。具体的には、おむつ１の外装体５は、上述の通り、腹側領域Ａに位置する腹側外装体５Ａと、背側領域Ｂに位置する背側外装体５Ｂと、それら（腹側外装体５Ａ，背側外装体５Ｂ）の間に位置する股下領域Ｃに位置する股下外装体５Ｃとに別部材で構成されており、腹側外装体５Ａ、背側外装体５Ｂ及び股下外装体５Ｃとして区分されている。外装体５は、股下外装体５Ｃの長手方向（Ｘ方向）の両端部それぞれに、腹側外装体５Ａ及び背側外装体５Ｂそれぞれが接合されて一体に形成されている。このように形成された外装体５の幅方向（Ｙ方向）中央部に吸収性本体１０が接合されており、吸収性本体１０は、腹側外装体５Ａから背側外装体５Ｂに亘って配されている。尚、表面シート２と吸収体４との接着、吸収体４と裏面シート３との接着、裏面シート３と外装体５との接着については、後に詳述する。
【００２０】
腹側外装体５Ａは、おむつ１においては、展開かつ伸長状態（図２参照）において、幅方向（Ｙ方向）に長い長方形状をなしており、おむつ長手方向（Ｘ方向）に沿う左右一対の側縁部５ａ１，５ａ１と、おむつ幅方向（Ｙ方向）に沿う上下一対の端縁部５ａ２，５ａ３（外側端縁部５ａ２、内側端縁部５ａ３）とを有している。背側外装体５Ｂも、同様に、幅方向（Ｙ方向）に長い長方形状をなしており、おむつ長手方向（Ｘ方向）に沿う左右一対の側縁部５ｂ１，５ｂ１と、おむつ幅方向（Ｙ方向）に沿う上下一対の端縁部５ｂ２，５ｂ３（外側端縁部５ｂ２、内側端縁部５ｂ３）とを有している。腹側外装体５Ａと背側外装体５Ｂとは、図３に示すように、おむつ幅方向（Ｙ方向）に関しては、長さが同じに形成されており、おむつ長手方向（Ｘ方向）に関しては、背側外装体５Ｂの長さが腹側外装体５Ａの長さよりも長く形成されている。
【００２１】
そして、腹側外装体５Ａは、図２に示すように、両側縁部５ａ１，５ａ１それぞれに、腹側外装体５Ａと背側外装体５Ｂとの間が接合されてサイドシール部Ｓを形成している接合部ｓａを有している。また、背側外装体５Ｂは、図２に示すように、両側縁部５ｂ１，５ｂ１それぞれに、背側外装体５Ｂと腹側外装体５Ａとの間が接合されてサイドシール部Ｓを形成している接合部ｓｂと、該接合部５ｂ２のおむつ長手方向（Ｘ方向）内方に延出し、背側外装体５Ｂと腹側外装体５Ａとの間が接合されていない非接合部ｎｓとを有している。そして、腹側外装体５Ａの側縁部５ａ１である接合部ｓａと、背側外装体５Ｂの側縁部５ｂ１の一部である接合部ｓｂとが接合されていることによって、おむつ１に、前述した一対のサイドシール部Ｓ，Ｓが形成されている。この接合には、例えばヒートシール、高周波シール、超音波シール、接着剤等の公知の接合方法が用いられる。また、この接合によって、図１に示すように、サイドシール部Ｓ，Ｓと共に、ウエスト開口部ＷＯ及び一対のレッグ開口部ＬＯ，ＬＯが形成されている。
【００２２】
背側外装体５Ｂは、図２に示すように、サイドシール部Ｓより下方に延出する延出部５１Ｂを有している。詳述すると、背側外装体５Ｂは、側縁部５ｂ１における接合部ｓｂ及び非接合部ｎｓが、おむつの展開且つ伸長状態（図２参照）において、おむつ長手方向（Ｘ方向）に連続して延びている。背側外装体５Ｂは、両接合部ｓｂ，ｓｂ間に位置する本体部５０Ｂと、該本体部５０Ｂの股下領域Ｃ側に延出し、両非接合部ｎｓ，ｎｓ間に位置する矩形の延出部５１Ｂを有している。
【００２３】
おむつ１における腹側外装体５Ａ及び背側外装体５Ｂは何れも、図２に示すように、おむつ１の外面を形成する外層シート５１と、外層シート５１の内面側に配され、おむつ１の内面を形成する内層シート５２と、それらシート５１，５２間に幅方向（Ｙ方向）に伸長状態で配された複数本の糸状の弾性部材５３とを含んで構成されている。腹側外装体５Ａ及び背側外装体５Ｂは、外層シート５１と内層シート５２との間を、例えばヒートシール、高周波シール、超音波シール、接着剤等の公知の接合方法により接着することにより形成されている。尚、背側外装体５Ｂの延出部５１Ｂにも、図２に示すように、複数本の弾性部材５３が幅方向（Ｙ方向）に沿って伸長状態で配され、延出部５１Ｂは幅方向（Ｙ方向）に伸縮性を有している。腹側外装体５Ａ、及び背側外装体５Ｂを構成する本体部５０Ｂには、それぞれ、幅方向（Ｙ方向）に伸縮性を有するウエスト伸縮部Ｇ１及び胴回り伸縮部Ｇ２が形成され、背側外装体５Ｂを構成する延出部５１Ｂには、幅方向（Ｙ方向）に伸縮性を有する延出部伸縮部Ｇ３が形成されている。
【００２４】
図２に示すように、ウエスト伸縮部Ｇ１は、腹側外装体５Ａ及び背側外装体５Ｂのそれぞれにおいて、おむつ１の長手方向（Ｘ方向）における、吸収性本体１０の長手方向の両端部より外方に形成されている。胴回り伸縮部Ｇ２は、腹側外装体５Ａ、及び背側外装体５Ｂを構成する本体部５０Ｂそれぞれにおいて、おむつ１の長手方向（Ｘ方向）における、吸収性本体１０の配された領域に形成されている。延出部伸縮部Ｇ３は、背側外装体５Ｂを構成する延出部５１Ｂに形成されている。
【００２５】
図２に示すように、腹側外装体５Ａ及び背側外装体５Ｂ（本体部５０Ｂと延出部５１Ｂ）には、それぞれ、複数本の弾性部材５３が、それぞれ幅方向（Ｙ方向）に沿って伸張状態で延びており、且つおむつ１の長手方向（Ｘ方向）に間隔を開けて配されている。腹側外装体５Ａ及び背側外装体５Ｂ（本体部５０Ｂと延出部５１Ｂ）における吸収性本体１０と厚み方向（Ｚ方向）に重なる領域では、弾性部材５３が個々分断されている。具体的には、腹側外装体５Ａについては、おむつ１を展開且つ伸長した状態において、吸収性本体１０と厚み方向（Ｚ方向）に重なる胴回り伸縮部Ｇ２の複数本の糸状の弾性部材５３それぞれが個々複数個に分断されており、細かく分断された弾性部材５３は、もはや収縮力を殆ど有しない状態となって弱機能化領域を形成している。また、背側外装体５Ｂについては、おむつ１を展開且つ伸長した状態において、吸収性本体１０と厚み方向（Ｚ方向）に重なる胴回り伸縮部Ｇ２の複数本の糸状の弾性部材５３及び吸収性本体１０と厚み方向（Ｚ方向）に重なる延出部伸縮部Ｇ３の複数本の糸状の弾性部材５３それぞれが個々複数個に分断されており、細かく分断された弾性部材５３は、もはや収縮力を殆ど有しない状態となって弱機能化領域を形成している。このような弱機能化領域が形成されていると、図１に示すように、おむつ１においては、吸収性本体１０における腹側外装体５Ａ及び背側外装体５Ｂ（本体部５０Ｂと延出部５１Ｂ）と厚み方向（Ｚ方向）に重なる領域が、潰れ難くなっており、おむつ１を着用した際に、腹側領域Ａ及び背側領域Ｂのフィット性が向上する。
【００２６】
＜引っ張り応力の測定法＞
先ず、サイドシール部Ｓを破って、おむつ１を展開状態とし、その展開状態のおむつ１から吸収性本体１０を引き剥がして外装体５を取り出す。そして取り出した外装体５を伸長した状態において、Ｘ方向に３等分の位置にて、Ｙ方向に平行にカットし、３分画領域Ｔａ１，Ｔａ２，Ｔａ３のカットサンプルを作製する。次いで、例えば、分画領域Ｔａ３のカットサンプルを用いて説明すると、分画領域Ｔａ３のカットサンプルについて、最大に伸長した状態のＹ方向の長さ（最大伸長長さ）を求める。尚、最大に伸長した状態の長さを求める際に、弾性部材５３が抜ける場合には、ポイントシール又は超音波シール等の処理を行う。次いで、分画領域Ｔａ３のカットサンプルを、テンシロン万能試験機にチャック間距離１００ｍｍ（自然状態でのサンプルの長さに応じて変更可能）に固定し、一定速度３００ｍｍ／ｍｉｎで、先に求めた最大伸長長さの８０％の長さまで伸長させた時の引張り荷重（ｃＮ）を引っ張り応力とする。測定は、複数回（ｎ＝３回）行い、平均値を分画領域Ｔａ３の引っ張り応力とする。分画領域Ｔａ２の引っ張り応力も同様にして求める。
また、おむつ１においては、図２に示すように、背側外装体５Ｂは、おむつ１長手方向（Ｘ方向）に３等分して３分画領域Ｔｂ１，Ｔｂ２，Ｔｂ３を形成した際に、股下領域Ｃ寄りの分画領域Ｔｂ３の幅方向（Ｙ方向）の引っ張り応力が、中央に位置する分画領域Ｔｂ２の幅方向（Ｙ方向）の引っ張り応力よりも低くなっている。前記分画領域Ｔｂ２の引っ張り応力に対する前記分画領域Ｔｂ３の引っ張り応力の割合（分画領域Ｔｂ３の引っ張り応力／分画領域Ｔｂ２の引っ張り応力）は、股下領域Ｃ寄りの分画領域Ｔｂ３の引っ張り応力が低いことによって、吸収性本体１０における背側外装体５Ｂ（本体部５０Ｂと延出部５１Ｂ）と厚み方向（Ｚ方向）に重なる領域が、潰れ難くなっており、おむつ１を着用した際に、背側領域Ｂのフィット性が向上する観点から、０．２０以上０．９５以下であることが好ましく、０．２５以上０．９０以下であることが更に好ましい。具体的には、前記分画領域Ｔｂ２の引っ張り応力は、１１０ｃＮ以上３２２ｃＮ以下であることが好ましく、１０８ｃＮ以上２８５ｃＮ以下であることが更に好ましい。また、前記分画領域Ｔｂ３の引っ張り応力は、５６ｃＮ以上１６５ｃＮ以下であることが好ましく、６８ｃＮ以上１４６ｃＮ以下であることが更に好ましい。上記の引っ張り応力は、上述した腹側外装体５Ａにおける引っ張り応力と同様の測定方法により測定する。
【００２７】
股下外装体５Ｃは、おむつ１の外面を形成する１枚のシートで形成されている。股下外装体５Ｃは、吸収性本体１０を構成する裏面シート３における股下領域Ｃの部分を覆っている。股下外装体５Ｃのおむつ長手方向（Ｘ方向）に沿う両側縁は、吸収性本体１０を構成する裏面シート３の長手方向（Ｘ方向）に沿う両側縁に略一致しており、股下外装体５Ｃは、矩形状に形成されている。
【００２８】
おむつ１の外装体５は、以上のように形成された腹側外装体５Ａ、背側外装体５Ｂ及び股下外装体５Ｃが一体化して形成されているので、吸収性コア４１の備える１対の側部貫通スリット４３,４３と厚み方向（Ｚ方向）に重なる領域における構成シートの数に比べて、側部貫通スリット４３よりも腹側領域Ａ側の吸収体４の端部と厚み方向（Ｚ方向）に重なる領域における構成シートの数の方が多い。具体的には、１対の側部貫通スリット４３,４３と厚み方向（Ｚ方向）に重なる領域に位置する外装体５は、股下外装体５であり、１枚のシートで形成されており、吸収体４の腹側領域Ａ側の端部と厚み方向（Ｚ方向）に重なる領域に位置する外装体５は、腹側外装体５Ａであり、外層シート５１及び内層シート５２の２枚のシートを有している。このように、側部貫通スリット４３,４３と重なる領域における構成シートの数に比べて、腹側領域Ａ側の吸収体４の端部と重なる領域における構成シートの数の方が多くなっていると、吸収性本体１０における腹側外装体５Ａと厚み方向（Ｚ方向）に重なる領域は、曲げ剛性が上がり易く、潰れ難くなっており、おむつ１を着用した際に、腹側領域Ａのフィット性が向上する
【００２９】
表面シート２と吸収体４との接着、吸収体４と裏面シート３との接着、裏面シート３と外装体５との接着に関して詳述する。図３に示すように断面視して、吸収体４を構成する吸収性コア４１に設けられた各側部貫通スリット４３においては、吸収体４を構成する被覆材４２における肌対向面側の肌側被覆材４２Ｕと非肌対向面側の非肌側被覆材４２Ｄとが接合されており、各側部貫通スリット４３と厚み方向（Ｚ方向）に重なる領域においては、肌側被覆材４２Ｕと表面シート２とが接合され、非肌側被覆材４２Ｄと裏面シート３とが接合され、裏面シート３と外装体５とが接合されている。以下具体的に説明すると、おむつ１においては、厚み方向（Ｚ方向）の上方側から下方側に向かって、表面シート２と被覆材４２の肌側被覆材４２Ｕとが、第１接着剤層７１を介して固定されている。また、被覆材４２の肌側被覆材４２Ｕと吸収性コア４１の肌対向面とが、第２接着剤層７２を介して固定されている。また、吸収性コア４１の非肌対向面と被覆材４２の非肌側被覆材４２Ｄとが、第３接着剤層７３を介して固定されている。また、被覆材４２の非肌側被覆材４２Ｄと裏面シート３とが、第４接着剤層７４を介して固定されている。そして、裏面シート３と外装体５とが、第５接着剤層７５を介して固定されている。
【００３０】
表面シート２と被覆材４２の肌側被覆材４２Ｕとを固定する第１接着剤層７１は、おむつ１においては、図３に示すように、例えばスプレーガンを用いて、スパイラル状に接着剤を塗工して形成されている。具体的には、第１接着剤層７１は、幅方向（Ｙ方向）においては、一対の側部貫通スリット４３，４３及び中央部貫通スリット４４それぞれに対応する位置を含む範囲で、長手方向（Ｘ方向）においては、一対の側部貫通スリット４３，４３及び中央部貫通スリット４４それぞれに対応する位置を含む範囲で長手方向（Ｘ方向）に長く、表面シート２の非肌対向面及び／又は被覆材４２の肌側被覆材４２Ｕの肌対向面に接着剤を塗工して形成されている。
【００３１】
被覆材４２の肌側被覆材４２Ｕと吸収性コア４１の肌対向面とを固定する第２接着剤層７２は、おむつ１においては、図３に示すように、例えばスプレーガンを用いて、スパイラル状に接着剤を塗工して形成されている。具体的には、第２接着剤層７２は、幅方向（Ｙ方向）においては、吸収性コア４１の全幅に亘る範囲で、長手方向（Ｘ方向）においては、吸収性コア４１の全長に亘る範囲で、被覆材４２の肌側被覆材４２Ｕの非肌対向面及び／又は吸収性コア４１の肌対向面に接着剤を塗工して形成されている。
【００３２】
吸収性コア４１の非肌対向面と被覆材４２の非肌側被覆材４２Ｄとを固定する第３接着剤層７３は、おむつ１においては、図３に示すように、例えばビードガンを用いて、接着剤を一定幅に連続して落下させて塗工して形成されている。具体的には、第３接着剤層７３は、幅方向（Ｙ方向）においては、吸収性コア４１の全幅に亘る範囲で、長手方向（Ｘ方向）においては、吸収性コア４１の全長に亘る範囲で、吸収性コア４２の非肌対向面及び／又は被覆材４２の非肌側被覆材４２Ｄの肌対向面に接着剤を塗工して形成されている。
【００３３】
被覆材４２の非肌側被覆材４２Ｄと裏面シート３とを固定する第４接着剤層７４は、おむつ１においては、図３に示すように、例えばビードガンを用いて、接着剤を一定幅に連続して落下させて塗工して形成されている。具体的には、第４接着剤層７４は、幅方向（Ｙ方向）においては、吸収性コア４１の全幅に亘る範囲で、長手方向（Ｘ方向）においては、吸収性コア４１の全長に亘る範囲で、被覆材４２の非肌側被覆材４２Ｄの非肌対向面及び／又は裏面シート３の肌対向面に接着剤を塗工して形成されている。
【００３４】
裏面シート３と外装体５とを固定する第５接着剤層７５は、おむつ１においては、図３に示すように、例えばコーターガンを用いて、Ｙ方向に間欠的に且つＸ方向に一直線状に塗工されており、全体視してストライプ状に塗工して形成されている。具体的には、第５接着剤層７５は、幅方向（Ｙ方向）においては、吸収性本体１０の全幅に亘る範囲で、長手方向（Ｘ方向）においては、吸収性本体１０の全長に亘る範囲で、裏面シート３の非肌対向面及び／又は外装体５の肌対向面に接着剤を塗工して形成されている。尚、外装体５の肌対向面とは、腹側外装体５Ａから股下外装体５Ｃを介して背側外装体５Ｂに至る範囲における肌対向面である。
【００３５】
上述したように、おむつ１においては、一対の側部貫通スリット４３，４３及び中央部貫通スリット４４は、股下領域Ｃ内に配されており、言い換えれば、股下外装体５Ｃ上に配されている。また、上述したように、第１接着剤層７１、第２接着剤層７２、第３接着剤層７３、第４接着剤層７４及び第５接着剤層７５が形成されている。その為、図３に示すように、吸収体４を構成する吸収性コア４１に設けられた一対の側部貫通スリット４３，４３を通る位置にて、Ｙ方向に沿って断面視すると、各側部貫通スリット４３においては、被覆材４２の肌側被覆材４２Ｕの非肌対向面と非肌側被覆材４２Ｄの肌対向面とが、第２接着剤層７２及び第３接着剤層７３を介して接合されている。また、各側部貫通スリット４３と厚み方向（Ｚ方向）に重なる領域においては、厚み方向（Ｚ方向）の上方側から下方側に向かって、表面シート２の非肌対向面と肌側被覆材４２Ｕの肌対向面とが第１接着剤層７１を介して接合され、非肌側被覆材４２Ｄの非肌対向面と裏面シート３の肌対向面とが第４接着剤層７４を介して接合され、裏面シート３の非肌対向面と外装体５の股下外装体５Ｃの肌対向面とが第５接着剤層７５を介して接合されている。
【００３６】
また、図３に示すように、吸収体４を構成する吸収性コア４１に設けられた中央部貫通スリット４４を通る位置にて、Ｙ方向に沿って断面視すると、中央部貫通スリット４４においては、被覆材４２の肌側被覆材４２Ｕの非肌対向面と非肌側被覆材４２Ｄの肌対向面とが、第２接着剤層７２及び第３接着剤層７３を介して接合されている。また、各側部貫通スリット４３と厚み方向（Ｚ方向）に重なる領域においては、厚み方向（Ｚ方向）の上方側から下方側に向かって、表面シート２の非肌対向面と肌側被覆材４２Ｕの肌対向面とが第１接着剤層７１を介して接合され、非肌側被覆材４２Ｄの非肌対向面と裏面シート３の肌対向面とが第４接着剤層７４を介して接合され、裏面シート３の非肌対向面と外装体５の股下外装体５Ｃの肌対向面とが第５接着剤層７５を介して接合されている。
【００３７】
さらに、おむつ１においては、第１接着剤層７１及び第２接着剤層７２がスパイラル状に接着剤を塗工して形成され、第３接着剤層７３及び第４接着剤層７４が全面に塗工して形成され、第５接着剤層７５がストライプ状に塗工して形成されている。その為、各側部貫通スリット４３及び中央部貫通スリット４４においては、図３に示すように断面視して、全面塗工の第３接着剤層７３によって肌側被覆材４２Ｕと非肌側被覆材４２Ｄとが接合された位置と、全面塗工の第４接着剤層７４によって非肌側被覆材４２Ｄと裏面シート３とが接合された位置とは一致して重なっているが、スパイラル状の塗工の第１接着剤層７１によって表面シート２と肌側被覆材４２Ｕとが接合された位置と、ストライプ状の塗工の第５接着剤層７５によって裏面シート３と外装体５の股下外装体５Ｃとが接合された位置とが一致しておらず、重なっていない。このように、各側部貫通スリット４３及び中央部貫通スリット４４において、各部材の接合位置が異なっているので、可撓軸が分散されることで、なだらかな屈曲が誘起されるようになる。
【００３８】
以上のように、各側部貫通スリット４３にて及び中央部貫通スリット４４にて、おむつ１の構成部材が接合された使い捨ておむつ１は、第１接着剤層７１から第５接着剤層７５を所定の位置に塗布した後、例えば、一対のゴムローラー間に通すことにより、各側部貫通スリット４３の領域及び中央部貫通スリット４４の領域を押圧することにより、安定的に連続して形成できる。
【００３９】
上述したパンツ型使い捨ておむつ１の各部の形成材料について説明する。
吸収性本体１０を構成する表面シート２、裏面シート３、及び側方カフス６等としては、使い捨ておむつ等の吸収性物品に従来用いられている各種のもの等を特に制限なく用いることができる。例えば、表面シート２としては、単層又は多層構造の不織布や、開孔フィルム等を用いることができる。裏面シート３としては、透湿性の樹脂フィルム等を用いることができる。また、側方カフス６としては、撥水性の単層又は多層構造の不織布等を用いることができる。
【００４０】
吸収体４を構成する吸収性コア４１としては、この種のおむつに従来用いられている各種のものを用いることができ、尿などの体液を吸収する吸収性を有するものであればその種類は特に制限されず、例えば高吸収性ポリマー、粉砕パルプ等の吸収性物質が挙げられる。前記高吸収性ポリマーとしては、この種のおむつにおいて従来用いられている各種のものを用いることができ、例えば、ポリアクリル酸ソーダ、（アクリル酸−ビニルアルコール）共重合体、ポリアクリル酸ソーダ架橋体、（デンプン−アクリル酸）グラフト重合体、（イソブチレン−無水マレイン酸）共重合体及びそのケン化物、ポリアクリル酸カリウム、並びにポリアクリル酸セシウム等が挙げられ、これらの１種を単独で又は２種以上を混合して用いることができる。
【００４１】
吸収体４を構成する被覆材４２としては、この種のおむつにおいて台紙などと称して従来用いられている各種の液透過性のものを用いることができ、例えば、繊維材シートや、穿孔フィルムなどを用いることができる。液の透過が良好な観点から、被覆材４２は親水性の繊維シートからなることが好ましい。親水性の繊維シートとしては、ティッシュペーパー等の紙や各種不織布を用いることができる。不織布としては、コットンやレーヨンなどの親水性繊維からなる不織布や、合成樹脂の繊維に親水化処理を施してなる不織布が挙げられる。具体的には、界面活性剤で処理されたスパンボンド不織布、スパンレース不織布、エアレイド不織布、エアースルー不織布などが挙げられる。
【００４２】
外装体５の腹側外装体５Ａ及び背側外装体５Ｂを構成する外層シート５１及び内層シート５２としては、この種の物品に従来使用されている各種のシート材を特に制限なく用いることができ、不織布であることが好ましく、特に柔軟性等の観点から、エアースルー不織布、ヒートロール不織布、スパンレース不織布、スパンボンド不織布、メルトブローン不織布等からなる単層の不織布又は２層以上の積層不織布であることが好ましい。また、これらの不織布とフィルムとを一体化したシートでもよい。
また、外装体５の股下外装体５Ｃを形成する非伸長性のシート材も、外層シート５１及び内層シート５２と同様のものを用いることができる。
【００４３】
弾性部材（立体ギャザー形成用弾性部材６１、弾性部材５３等）としては、例えば、スチレン−ブタジエン、ブタジエン、イソプレン、ネオプレン等の合成ゴム、天然ゴム、ＥＶＡ、伸縮性ポリオレフィン、ポリウレタン等を挙げることができる。弾性部材の形態としては、断面が矩形、正方形、円形、楕円形又は多角形状等の糸状（糸ゴム等）、若しくは紐状（平ゴム等）のもの、又はマルチフィラメントタイプの糸状のもの等を好ましく用いることができる。
各部材を固定する第１接着剤層７１〜第５接着剤層７５を形成する接着剤としては、使い捨ておむつ等の吸収性物品に従来用いられている各種のホットメルト接着剤等を特に制限なく用いることができる。
【００４４】
上述したパンツ型使い捨ておむつ１を使用した際の作用効果について説明する。
おむつ１は、図３に示すように、吸収体４を構成する吸収性コア４１に設けられた一対の側部貫通スリット４３，４３を通る位置にて、Ｙ方向に沿って断面視すると、各側部貫通スリット４３においては、被覆材４２の肌側被覆材４２Ｕの非肌対向面と非肌側被覆材４２Ｄの肌対向面とが、第２接着剤層７２及び第３接着剤層７３を介して接合されている。また、各側部貫通スリット４３と厚み方向（Ｚ方向）に重なる領域においては、厚み方向（Ｚ方向）の上方側から下方側に向かって、表面シート２の非肌対向面と肌側被覆材４２Ｕの肌対向面とが第１接着剤層７１を介して接合され、非肌側被覆材４２Ｄの非肌対向面と裏面シート３の肌対向面とが第４接着剤層７４を介して接合され、裏面シート３の非肌対向面と外装体５の股下外装体５Ｃの肌対向面とが第５接着剤層７５を介して接合されている。その為、おむつ１の着用時においては、図４に示すように、一対の側部貫通スリット４３，４３の部分が可撓軸となり易く、股下領域Ｃが屈曲し易く、フィット性が向上する。特に、おむつ１においては、吸収性本体１０の両側部に、図２に示すように、伸長状態で配された立体ギャザー形成用弾性部材６１を有する側方カフス６，６が設けられている。その為、おむつ１の着用時においては、図４に示すように、立体ギャザー形成用弾性部材６１の収縮により側方カフス６の自由端部側が起立して立体ギャザーを形成すると共に、一対の側部貫通スリット４３，４３の部分が可撓軸となって股下領域Ｃが更に屈曲し易くなっている。
【００４５】
また、おむつ１は、図１〜図３に示すように、１対の側部貫通スリット４３，４３の間の幅方向（Ｙ方向）中央部に、長手方向（Ｘ方向）に延在する中央部貫通スリット４４を有している。その為、おむつ１の着用時においては、一対の側部貫通スリット４３，４３の間の中央部においても屈曲し易く、股下領域Ｃが図４に示すようなＷ字状を描き易く、フィット性が向上する。特に、おむつ１においては、図３に示すように、中央部貫通スリット４４においても、被覆材４２の肌側被覆材４２Ｕと非肌側被覆材４２Ｄとが、第２接着剤層７２及び第３接着剤層７３を介して接合されている。また、各側部貫通スリット４３と厚み方向（Ｚ方向）に重なる領域においては、表面シート２と肌側被覆材４２Ｕとが第１接着剤層７１を介して接合され、非肌側被覆材４２Ｄと裏面シート３とが第４接着剤層７４を介して接合され、裏面シート３と外装体５の股下外装体５Ｃとが第５接着剤層７５を介して接合されている。その為、中央部貫通スリット４４の部分が可撓軸となり易く、股下領域Ｃが図４に示すようなＷ字状を更に描き易く、フィット性が更に向上する。
【００４６】
また、おむつ１は、図２に示すように、各側部貫通スリット４３の中心４３ｃが、背側領域Ｂ側よりも腹側領域Ａ側にずれて配されている。また、中央部貫通スリット４４の中心４４ｃも、背側領域Ｂ側よりも腹側領域Ａ側にずれて配されている。その為、おむつ１の着用時においては、股下領域Ｃが屈曲したとしても、その屈曲が背側領域Ｂ側に伝達され難く、背側領域Ｂのフィット性に影響を与え難くなっている。特に、おむつ１においては、図２に示すように、各側部貫通スリット４３は、両端部４３ａ，４３ｂが、腹側外装体５Ａ及び背側外装体５Ｂを構成する複数本の弾性部材５３の内の最も股下領域Ｃ側の弾性部材５３の位置に達していない。また、中央部貫通スリット４４は、両端部４４ａ，４４ｂが、腹側外装体５Ａ及び背側外装体５Ｂを構成する複数本の弾性部材５３の内の最も股下領域Ｃ側の弾性部材５３の位置に達していない。このように、各側部貫通スリット４３及び中央部貫通スリット４４は、股下領域Ｃ内に配されている。その為、おむつ１の着用時においては、股下領域Ｃが屈曲したとしても、その屈曲が腹側領域Ａ側及び背側外装体５Ｂ側に伝達され難く、腹側領域Ａ及び背側領域Ｂのフィット性に影響を与え難くなっている。
【００４７】
本発明の吸収性物品は、上述の本実施形態のパンツ型使い捨ておむつ１に何ら制限されるものではなく、適宜変更可能である。
【００４８】
例えば、上述の実施形態のおむつ１においては、第１接着剤層７１及び第２接着剤層７２がスパイラル状に接着剤を塗工して形成され、第３接着剤層７３及び第４接着剤層７４が全面に塗工して形成され、第５接着剤層７５がストライプ状に塗工して形成されているが、これに限定されず、第１接着剤層７１〜第５接着剤層７５の何れも、スパイラル状の塗工、全面塗工、及びストライプ状の塗工の中から塗工形態を選択することができる。具体的には、第２接着剤層７２〜第５接着剤層７５の何れもが全面塗工されて形成され、第１接着剤層７１が、例えばビードガンを用いて、一対の側部貫通スリット４３，４３及び中央部貫通スリット４４それぞれに対応する位置を含む範囲に、接着剤を一定幅に連続して落下させて形成された形態であってもよい。このように接着剤層が形成されていると、各側部貫通スリット４３及び中央部貫通スリット４４においては、断面視して、第２接着剤層７２及び第３接着剤層７３によって肌側被覆材４２Ｕと非肌側被覆材４２Ｄとが接合された位置と、第１接着剤層７１によって表面シート２と肌側被覆材４２Ｕとが接合された位置と、第４接着剤層７４によって非肌側被覆材４２Ｄと裏面シート３とが接合された位置と、第５接着剤層７５によって裏面シート３と外装体５の股下外装体５Ｃとが接合された位置とが一致しており、重なっている。このように接合位置が重なっていると、一対の側部貫通スリット４３、４３の部分及び中央部貫通スリット４４の部分が更に可撓軸となり易く、股下領域Ｃが図４に示すようなＷ字状を更に描き易く、フィット性が更に向上する。
【００４９】
また、第２接着剤層７２が、中央部貫通スリット４４を除く領域にスパイラル状に接着剤を塗工して形成されており、第３接着剤層７３が、中央部貫通スリット４４を除く領域にストライプ状に接着剤を塗工して形成されており、第１接着剤層７１、第４接着剤層７４及び第５接着剤層７５がおむつ１と同様に形成されていてもよい。このように接着剤層が形成されていると、中央部貫通スリット４４において、被覆材４２の肌側被覆材４２Ｕの非肌対向面と非肌側被覆材４２Ｄの肌対向面とが接合されておらず、一対の側部貫通スリット４３，４３においては、被覆材４２の肌側被覆材４２Ｕの非肌対向面と非肌側被覆材４２Ｄの肌対向面とが、第２接着剤層７２及び第３接着剤層７３を介して接合されている形態となる。このような使い捨ておむつを着用すると、中央貫通スリット４４は切欠きにより可撓軸として一定の機能を示しつつ、被覆材４２の肌側被覆材４２Ｕの非肌対向面と非肌側被覆材４２Ｄの肌対向面と吸収性コア４１に囲まれた空間へ一時的に体液を受け入れることで、体液がより速やかに吸収体４へと引き込まれるようになる。
【００５０】
前述した本発明の実施形態（態様）に関し、更に以下の吸収性物品を開示する。
【００５１】
＜１＞
表面シート、裏面シート、これら両シート間に配された吸収体を備えた縦長の吸収性本体と、該吸収性本体の非肌対向面側に配された外装体とを具備する吸収性物品であって、
前記外装体は、着用者の腹側に配される腹側外装体と、背側に配される背側外装体と、それらの間に位置する股下領域に配される股下外装体とに別部材として区分されており、
前記吸収体は、吸収ポリマーを含む吸収性コアと該吸収性コアを包む被覆材とを有し、
前記吸収性コアは、前記吸収性本体の長手方向に沿う両側部に、厚み方向に貫通する１対の側部貫通スリットが長手方向に延在しており、
各前記側部貫通スリットにおいては、前記被覆材における肌対向面側の肌側被覆材と非肌対向面側の非肌側被覆材とが接合されており、各該側部貫通スリットと厚み方向に重なる領域においては、前記肌側被覆材と前記表面シートとが接合され、且つ前記非肌側被覆材と前記裏面シートとが接合され、且つ該裏面シートと前記外装体とが接合されている吸収性物品。
【００５２】
＜２＞
前記吸収性コアは、前記１対の側部貫通スリットの間の中央部に、厚み方向に貫通する中央部貫通スリットが長手方向に延在している前記＜１＞に記載の吸収性物品。
＜３＞
前記側部貫通スリットの形状や長さが、前記中央部貫通スリットの形状や長さと同じであり同形同大に形成されている前記＜１＞又は＜２＞に記載の吸収性物品。
＜４＞
前記吸収性コアの全幅（Ｗ１）に対する前記側部貫通スリットの幅（Ｗ２）の割合（Ｗ２／Ｗ１）は、０．０３以上０．２５以下、好ましくは０．０４以上０．１７以下である前記＜１＞〜＜３＞の何れか１に記載の吸収性物品。
＜５＞
前記吸収性コアの全長（Ｌ１）に対する前記側部貫通スリットの長さ（Ｌ２）の割合（Ｌ２／Ｌ１）は、０．１０以上０．７５以下、好ましくは０．２０以上０．６０以下である前記＜１＞〜＜４＞の何れか１に記載の吸収性物品。
＜６＞
前記側部貫通スリットの幅（Ｗ２）或いは前記中央部貫通スリットの幅は、３．６ｍｍ以上３０．０ｍｍ以下、好ましくは４．８ｍｍ以上２０．４ｍｍ以下である前記＜１＞〜＜５＞の何れか１に記載の吸収性物品。
＜７＞
前記側部貫通スリットの長さ（Ｌ２）或いは前記中央部貫通スリットの長さは、３２ｍｍ以上３０８ｍｍ以下、好ましくは６４ｍｍ以上２４６ｍｍ以下である前記＜１＞〜＜６＞の何れか１に記載の吸収性物品。
＜８＞
各前記側部貫通スリットは、その長手方向の中心が、着用者の背側に配される背側領域側よりも、着用者の腹側に配される腹側領域側にずれて配されている前記＜１＞〜＜７＞の何れか１に記載の吸収性物品。
＜９＞
前記腹側外装体は、前記吸収性物品の外面を形成する外層シートと、該外層シートの内面側に配され、該吸収性物品の内面を形成する内層シートと、それらシート間に幅方向に伸長状態で配されて固定された複数本の糸状の弾性部材とを含んで構成されており、
各前記側部貫通スリットは、その前記腹側外装体側の端部が、前記複数本の弾性部材の内の最も前記股下領域側の弾性部材の位置に達していない前記＜１＞〜＜８＞の何れか１に記載の吸収性物品。
＜１０＞
前記側部貫通スリットは、背側外装体側の端部が、該背側外装体を構成する複数本の弾性部材の内の最も股下領域側の弾性部材の位置に達していない前記＜１＞〜＜９＞の何れか１に記載の吸収性物品。
【００５３】
＜１１＞
前記吸収性コアは、前記１対の側部貫通スリットの間の中央部に、厚み方向に貫通する中央部貫通スリットが長手方向に延在しており、
前記中央部貫通スリットは、腹側外装体側の端部が、該腹側外装体を構成する複数本の弾性部材の内の最も股下領域側の弾性部材の位置に達していない前記＜１＞〜＜１０＞の何れか１に記載の吸収性物品。
＜１２＞
前記吸収性コアは、前記１対の側部貫通スリットの間の中央部に、厚み方向に貫通する中央部貫通スリットが長手方向に延在しており、
前記中央部貫通スリットは、背側外装体側の端部が、該背側外装体を構成する複数本の弾性部材の内の最も股下領域側の弾性部材の位置に達していない前記＜１＞〜＜１１＞の何れか１に記載の吸収性物品。
＜１３＞
前記吸収性本体の長手方向に沿う両側部には、長手方向に伸長状態で配された弾性部材を有する側方カフスが設けられている前記＜１＞〜＜１２＞の何れか１に記載の吸収性物品。
＜１４＞
各前記側部貫通スリットにおいては、幅方向に沿って断面視して、前記肌側被覆材と前記非肌側被覆材とが接合された位置、前記肌側被覆材と前記表面シートとが接合された位置、前記非肌側被覆材と前記裏面シートとが接合された位置、及び該裏面シートと前記外装体とが接合された位置が、重なっている前記＜１＞〜＜１３＞の何れか１に記載の吸収性物品。
＜１５＞
前記中央部貫通スリットにおいては、前記肌側被覆材と前記非肌側被覆材とが接合されており、該中央部貫通スリットと厚み方向に重なる領域においては、前記肌側被覆材と前記表面シートとが接合され、前記非肌側被覆材と前記裏面シートとが接合され、該裏面シートと前記外装体とが接合されている前記＜２＞〜＜１４＞の何れか１に記載の吸収性物品。
＜１６＞
前記腹側外装体と前記背側外装体とは、おむつ幅方向（Ｙ方向）に関しては、長さが同じに形成されており、おむつ長手方向（Ｘ方向）に関しては、該背側外装体の長さが該腹側外装体の長さよりも長く形成されている前記＜１＞〜＜１５＞の何れか１に記載の吸収性物品。
＜１７＞
前記腹側外装体及び前記背側外装体（本体部と延出部）には、それぞれ、複数本の弾性部材が、それぞれ幅方向（Ｙ方向）に沿って伸張状態で延びており、且つおむつの長手方向（Ｘ方向）に間隔を開けて配されており、
前記腹側外装体及び前記背側外装体（本体部と延出部）における前記吸収性本体と重なる領域では、前記弾性部材が個々分断されている前記＜１＞〜＜１６＞の何れか１に記載の吸収性物品。
＜１８＞
前記腹側外装体は、おむつ長手方向（Ｘ方向）に３等分して３分画領域Ｔａ１，Ｔａ２，Ｔａ３を形成した際に、股下領域寄りの分画領域Ｔａ３の幅方向（Ｙ方向）の引っ張り応力が、中央に位置する分画領域Ｔａ２の幅方向（Ｙ方向）の引っ張り応力よりも低くなっている前記＜１＞〜＜１７＞の何れか１に記載の吸収性物品。
＜１９＞
前記分画領域Ｔａ２の引っ張り応力に対する前記分画領域Ｔａ３の引っ張り応力の割合（分画領域Ｔａ３の引っ張り応力／分画領域Ｔａ２の引っ張り応力）は、０．６５以上０．９５以下、好ましくは０．７０以上０．９０以下である前記＜１＞〜＜１８＞の何れか１に記載の吸収性物品。
＜２０＞
前記分画領域Ｔａ２の引っ張り応力は、１１０ｃＮ以上２０４ｃＮ以下、好ましくは１３３ｃＮ以上１８１ｃＮ以下である前記＜１＞〜＜１９＞の何れか１に記載の吸収性物品。
＜２１＞
前記分画領域Ｔａ３の引っ張り応力は、８９ｃＮ以上１６５ｃＮ以下、好ましくは１０８ｃＮ以上１４６ｃＮ以下である前記＜１＞〜＜２０＞の何れか１に記載の吸収性物品。
【００５４】
＜２２＞
前記背側外装体は、おむつ長手方向（Ｘ方向）に３等分して３分画領域Ｔｂ１，Ｔｂ２，Ｔｂ３を形成した際に、股下領域寄りの分画領域Ｔｂ３の幅方向（Ｙ方向）の引っ張り応力が、中央に位置する分画領域Ｔｂ２の幅方向（Ｙ方向）の引っ張り応力よりも低くなっている前記＜１＞〜＜２１＞の何れか１に記載の吸収性物品。
＜２３＞
前記分画領域Ｔｂ２の引っ張り応力に対する前記分画領域Ｔｂ３の引っ張り応力の割合（分画領域Ｔｂ３の引っ張り応力／分画領域Ｔｂ２の引っ張り応力）は、０．２０以上０．９５以下、好ましくは０．２５以上０．９０以下である前記＜１＞〜＜２２＞の何れか１に記載の吸収性物品。
＜２４＞
前記分画領域Ｔｂ２の引っ張り応力は、１１０ｃＮ以上３２２ｃＮ以下、好ましくは１０８ｃＮ以上２８５ｃＮ以下である前記＜１＞〜＜２３＞の何れか１に記載の吸収性物品。
＜２５＞
前記分画領域Ｔｂ３の引っ張り応力は、５６ｃＮ以上１６５ｃＮ以下、好ましくは６８ｃＮ以上１４６ｃＮ以下である前記＜１＞〜＜２４＞の何れか１に記載の吸収性物品。
＜２６＞
前記外装体は、前記吸収性コアの備える１対の前記側部貫通スリットと重なる領域における構成シートの数に比べて、該側部貫通スリットよりも腹側領域側の前記吸収体の端部と重なる領域における構成シートの数の方が多い前記＜１＞〜＜２５＞の何れか１に記載の吸収性物品。
＜２７＞
前記吸収体を構成する前記吸収性コアに設けられた前記中央部貫通スリットを通る位置にて、幅方向（Ｙ方向）に沿って断面視すると、該中央部貫通スリットにおいては、前記被覆材の肌側被覆材の非肌対向面と非肌側被覆材の肌対向面とが、第２接着剤層及び第３接着剤層を介して接合されている前記＜１＞〜＜２６＞の何れか１に記載の吸収性物品。
＜２８＞
前記側部貫通スリットと重なる領域においては、厚み方向（Ｚ方向）の上方側から下方側に向かって、前記表面シートの非肌対向面と前記肌側被覆材の肌対向面とが第１接着剤層を介して接合され、前記非肌側被覆材の非肌対向面と前記裏面シートの肌対向面とが第４接着剤層を介して接合され、該裏面シートの非肌対向面と前記外装材の股下外装体の肌対向面とが第５接着剤層を介して接合されている前記＜１＞〜＜２７＞の何れか１に記載の吸収性物品。
＜２９＞
第１接着剤層及び第２接着剤層がスパイラル状に接着剤を塗工して形成され、第３接着剤層及び第４接着剤層が全面に接着剤を塗工して形成され、第５接着剤層がストライプ状に接着剤を塗工して形成されている前記＜１＞〜＜２８＞の何れか１に記載の吸収性物品。
＜３０＞
前記側部貫通スリット及び前記中央部貫通スリットにおいては、断面視して、全面塗工の第３接着剤層によって前記肌側被覆材と前記非肌側被覆材とが接合された位置と、全面塗工の第４接着剤層によって該非肌側被覆材と前記裏面シートとが接合された位置とは一致して重なっているが、スパイラル状の塗工の第１接着剤層によって前記表面シートと前記肌側被覆材とが接合された位置と、ストライプ状の塗工の第５接着剤層によって前記裏面シートと前記外装材の股下外装体とが接合された位置とが一致しておらず、重なっていない前記＜１＞〜＜２９＞の何れか１に記載の吸収性物品。
＜３１＞
第２接着剤層が、前記中央部貫通スリットを除く領域にスパイラル状に接着剤を塗工して形成されており、第３接着剤層が、該中央部貫通スリットを除く領域にストライプ状に接着剤を塗工して形成されている前記＜１＞〜＜３０＞の何れか１に記載の吸収性物品。
【符号の説明】
【００５５】
１  パンツ型使い捨ておむつ（吸収性物品）
１０  吸収性本体
２  表面シート
３  裏面シート
４  吸収体
４１  吸収性コア
４３  側部貫通スリット
４４  中央部貫通スリット
４２  被覆材
４２Ｕ  肌側被覆材
４２Ｄ  非肌側被覆材
５  外装体
５Ａ  腹側外装体
５Ｂ  背側外装体
５Ｃ  股下外装体
５１  外層シート
５２  内層シート
５３  弾性部材
６  側方カフス
６１  立体ギャザー形成用弾性部材
７１  第１接着剤層
７２  第２接着剤層
７３  第３接着剤層
７４  第４接着剤層
７５  第５接着剤層
Ａ  腹側領域、Ｂ  背側領域、Ｃ  股下領域
【図１】
2015112319.tif 000003
【図２】
2015112319.tif 000004
【図３】
2015112319.tif 000005
【図４】
2015112319.tif 000006